(57)【特許請求の範囲】
【請求項１】
スライドつまみの接点位置が４つの位置で安定するようなスライドスイッチと、前記スライドつまみを操作するためのつまみ操作体と、ケースとを具備し、前記つまみ操作体は、前記スライドつまみを挟持するリブと、ケースの孔に係合することによってケースにつまみ操作体を装着させるための削除可能な４個の係合爪部とを有し、ケースの孔に、４個の係合爪部が端面にそれぞれ当接することによって、つまみ操作体の可動範囲を決める４個の段違い部をスライド方向の両側に２個ずつ設け、スライドつまみを両端の２つの接点位置に移動させると４個の段違い部の内の２個の端面にそれぞれ２個の係合爪部が当接するとともに、スライドつまみを他の２つの接点位置に移動させると他の２個の段違い部の端面にそれぞれ残りの２個の係合爪部が当接することを特徴とするスライド式スイッチの接点数の切替装置。
【発明の詳細な説明】
【０００１】
【産業上の利用分野】
本発明は、電子式タイムスイッチなどのモード切替動作や設定切替動作を行うために３接点以上の接点を有するスライド式スイッチの接点数の切替装置に関するもので、その接点数を切り替えする技術に係るものである。
【０００２】
【従来の技術】
従来におけるモード切替動作や設定切替動作を行うスライド式スイッチは、つまみを操作することにより接点切替動作を行うもので、スイッチの接点数は、スライド式スイッチの使用態様により決まっている。
【０００３】
【発明が解決しようとする課題】
１つのスライド式スイッチのプリント基板上に２個以上の接点を使用したり、同一のプリント基板を２機種以上のスライド式スイッチに使う場合に接点数を変えて使用したいときは、プリント基板のパターンを変更したり、また接点数に応じて機種の異なるスライド式スイッチを使用しなければならず、ときに操作つまみやスイッチ本体のケースを変更しなければならないという問題がある。
【０００４】
本発明は、上記した問題点を解決するためのもので、同一プリント基板，同一のスライド式スイッチを使用しながら、操作つまみの可動範囲さらには接点数を切り替え変更できるスライド式スイッチを得ることを目的とする。
【０００５】
【課題を解決するための手段】
上記の目的を達成するために本発明に係るスライド式スイッチの接点数の切替装置は、スライドつまみの接点位置が４つの位置で安定するようなスライドスイッチと、スライドつまみを操作するためのつまみ操作体と、ケースとを具備し、つまみ操作体は、スライドつまみを挟持するリブと、ケースの孔に係合することによってケースにつまみ操作体を装着させるための削除可能な４個の係合爪部とを有し、ケースの孔に、４個の係合爪部が端面にそれぞれ当接することによって、つまみ操作体の可動範囲を決める４個の段違い部をスライド方向の両側に２個ずつ設け、スライドつまみを両端の２つの接点位置に移動させると４個の段違い部の内の２個の端面にそれぞれ２個の係合爪部が当接するとともに、スライドつまみを他の２つの接点位置に移動させると他の２個の段違い部の端面にそれぞれ残りの２個の係合爪部が当接することを特徴とする。
【０００６】
【作用】
次に本発明に係るスライド式スイッチの接点数の切替装置の作用について述べる。つまみ操作体がケースに係合することにより装着されるための孔には、左端及び右端にそれぞれ２ケ所に段違い形状を設けており、つまみ操作体の左右各１ケ所の係合爪部が、左右各１ケ所の段違い部の端面に当接することで、つまみ操作体の可動範囲を決めることができる。
【０００７】
そして、つまみ操作体の係合爪部が４ケ所全部設けられている場合には、つまみ操作体の可動範囲は２ケ所の段違い部Ａ，Ｃ間であり、また、つまみ操作体の係合爪部が３ケ所で構成される場合には、つまみ操作体の可動範囲は、前記２ケ所の段違い部と異なる他の２ケ所の段違い部間となり、つまみ操作体の可動範囲を変えることで、複数カ所の端子間を、つまみ操作体に設けた接触板で順次短絡して接続するのである。
【０００８】
【実施例】
以下、図面を参照しながら本発明の実施例を具体的に説明する。図１はスライド式スイッチの分解斜視図、図２はスライド式スイッチの断面図、図３はスライド式スイッチの接点数の切替動作の説明図、図４はスライド式スイッチのつまみ操作体の平面図、図５はスライド式スイッチの本体ケースの一部切断平面図である。
【０００９】
スライド式スイッチ１はプリント基板２に実装されるものであり、そのプリント基板２をケース３にネジなどを使用して固定する。スライド式スイッチ１の接点位置を変更するため、スライドつまみ４を操作するためのつまみ操作体５のリブ６，６′によりそのスライドつまみ４を挟持するとともに、つまみ操作体５の係合爪部ａ，ｂ，ｃ，ｄによりケース３に係合することにより、ケース３につまみ操作体５を装着している。
【００１０】
つまみ操作体５がケース３に係合することにより装着されるための孔ｈは、図５のケース３の一部切断平面図に示すように左端はＡ，Ｂ、右端はＣ，Ｄのように段違い形状を有しており、つまみ操作体５の係合爪部ａ，ｂ，ｃ，ｄが段違い部Ａ，Ｂ，Ｃ，Ｄの端面に当接することで、つまみ操作体５の可動範囲を決めている。
【００１１】
すなわち、つまみ操作体５の係合爪部ａ，ｂ，ｃ，ｄが全て設けられている場合は、つまみ操作体５の可動範囲は段違い部Ａ，Ｃ間であり、また、つまみ操作体５の係合爪部ｂ，ｃ，ｄで構成される場合は、つまみ操作体５の可動範囲は段違い部Ｂ，Ｃ間であるというように、つまみ操作体５の可動範囲を変えることができる。
【００１２】
従って、スライド式スイッチ１の接点位置が、図３に示すＰ1 , Ｐ2 , Ｐ3 , Ｐ4 位置で安定するとし、これに対応するケース３の孔ｈの端面位置は段違い部Ａ，Ｂ，Ｃ，Ｄであるから、つまみ操作体５の係合爪部ａ，ｂ，ｃ，ｄの構成により、つまみ操作体５の係合爪部ａ，ｂ，ｃ，ｄが全て設けられている場合は、スライド式スイッチ１の接点位置はＰ2 , Ｐ3 の接点位置となり、また、つまみ操作体５の係合爪部ｂ，ｃ，ｄで構成される場合は、Ｐ1 , Ｐ2 , Ｐ3 の接点位置となるようにつまみ操作体５の可動範囲を変えることができるのである。
【００１３】
この図３において、スライドつまみ４をＰ1 位置にした場合は、接触板４′は端子▲１▼，▲３▼間を接続し、同様にしてスライドつまみ４をＰ2 , Ｐ3 , Ｐ4 位置にした場合は、それぞれ端子▲２▼，▲４▼間，端子▲３▼，▲５▼間，端子▲４▼，▲６▼間を接続することになる。
なお、スライド式スイッチ１の接点の数が３接点以上のものでも、上述と同様の考えにより構成することができる。また、つまみ操作体５の係合爪部ａ，ｂ，ｃ，ｄとケース３の孔ｈの端面位置に設けられた段違い部Ａ，Ｂ，Ｃ，Ｄは、係合爪部ａ，ｂ，ｃ，ｄと段違い部Ａ，Ｂ，Ｃ，Ｄとの相対的な位置関係により決まるので、段違い部Ａ，Ｂ，Ｃ，Ｄはつまみ操作体５自身に設けてもよい。
【００１４】
さらに、図６を参照しながら、つまみ操作体５の可動範囲を変える要領を説明する。
図６の（Ａ）はつまみ操作体５の係合爪部ａ，ｂ，ｃ，ｄで構成された場合におけるスライド式スイッチ１の接点数の切替要領の説明図であるが、つまみ操作体５を図中左端まで移動すると係合爪部ａがケース３の孔ｈの端面位置に設けられた段違い部Ａに当接する。一方、図６の（Ｂ）はつまみ操作体５の係合爪部ａを削除して、係合爪部ｂ，ｃ，ｄで構成された場合におけるスライド式スイッチ１の接点数の切替要領の説明図であるが、つまみ操作体５を図中左端まで移動すると、係合爪部ｂがケース３の孔ｈの端面位置に設けられた段違い部Ｂに当接することになり、図６の（Ａ）のような係合爪部ａが存在するときよりも、より一層左方向につまみ操作体５を動かすことができるのである。
【００１５】
なお、図３においてスライドつまみ４をＰ1 位置にした場合は、図６の（Ｂ）の状態に対応し、スライドつまみ４をＰ2 位置にした場合は、図６の（Ｂ）の状態に対応している。
【００１６】
【発明の効果】
本発明に係るスライド式スイッチの接点数の切替装置は前記のように構成して成るもので以下のような効果を奏する。
同一のプリント基板を２個以上のスライド式スイッチ、またはそのスライド式スイッチを２機種以上の異なる接点数を変えて使用する場合、係合爪部を切除して構成を変えるだけで、つまみ操作体の可動範囲を変えて接点数を切り替えることかでき、プリント基板，スライド式スイッチ，スイッチ本体，スライドつまみなど、機種に応じて品種が増加することを抑制してスライド式スイッチ製造上の管理費用、金型投資費用などを軽減できる利点がある。
【図面の簡単な説明】
【図１】本発明に係るスライド式スイッチの接点数の切替装置の実施例を示すもので、スライド式スイッチの分解斜視図。
【図２】同上の断面図。
【図３】同上の接点数の切替動作の説明図。
【図４】同上のつまみ操作体の平面図。
【図５】同上の本体ケースの一部切断平面図。
【図６】つまみ操作体の可動範囲を変える要領の説明図であって、（Ａ）はつまみ操作体の４ケ所の係合爪部全部で構成された場合のスライド式スイッチの接点数の切替要領の説明図、（Ｂ）はつまみ操作体の４ケ所のうち１ケ所の係合爪部を削除して、残りの３ケ所の係合爪部で構成された場合のスライド式スイッチの接点数の切替要領の説明図。
【符号の説明】
１              スライド式スイッチ
２              プリント基板
３              ケース
４              スライドつまみ
５              つまみ操作体
６，６′        つまみ操作体のリブ
ａ，ｂ，ｃ，ｄ  係合爪部
ｈ              ケースの孔
Ａ，Ｂ，Ｃ，Ｄ  段違い部
【図１】
0003644047.tif 000002
【図２】
0003644047.tif 000003
【図３】
0003644047.tif 000004
【図４】
0003644047.tif 000005
【図５】
0003644047.tif 000006
【図６】
0003644047.tif 000007